(57)【要約】【課題】  洗濯物を屋外に干す時に、下着などが他人に見られるという不都合を解決すること。花粉やほこり、鳥の糞の洗濯物への付着を防ぐこと。洗濯物を洗濯籠に入れ替える手間を省くこと。【解決手段】  従来の洗濯ネットの上下にファスナーを取り付けた。上口側に両開き可能のファスナーを取り付けることにより、洗濯ピンチ付ハンガーを、干した洗濯物ごと簡単におおえるようにした。下口側には片開きファスナーを取り付け、開放することで風通しをよくできる。通常、上口側ファスナーは開放し太陽光を取り込むが、閉じて使えば花粉や鳥の糞よけとしての効果ももつ。また上口側の左右には平ひもを取り付け物干し竿などにかけられるようにし、洗濯物を干す時と取り込む時に洗濯籠代わりに使用できる。【選択図】図４
0003134155.tif 000002
【実用新案登録請求の範囲】
【請求項１】
（イ）  洗濯網袋に上口側と下口側を作り、上下口にはファスナーを取り付け、上下            のファスナーを全開すると筒状になる形状にする。
（ロ）  上口側には両開きファスナーを取り付け、中央から左右に開けるようにし、            下口側には片開きファスナーを取り付ける。
（ハ）  上口側、下口側すべてのファスナーを開け、洗濯ピンチ付ハンガーにかぶせ            ると、洗濯物を、人目から見えにくくする。
上記（イ）（ロ）（ハ）の構成からなる洗濯ネット。
【請求項２】
請求項１で洗濯ピンチ付ハンガーにかぶせた後、上口側のファスナーを閉じて使用すると、花粉や埃、鳥の糞よけネットとなることを特徴とする洗濯ネット。
【請求項３】
請求項１で考案した洗濯ネットの上口側を下口側よりも若干狭く作ることで、洗濯ピンチ付ハンガーにかぶせたときの安定性よくしたことを特徴とする洗濯ネット。
【請求項４】
請求項１で考案した洗濯網袋の上口側両端のファスナー止め下に、１０ｃｍ程度の強度のある平ひもを上下二箇所でしっかりと取り付ける。この平ひもを、洗濯物を干す際や取り込む際に物干し竿などに掛け、上口側ファスナーのみを開くと洗濯籠の代わりとしても使えることを特徴とする洗濯ネット。
【考案の詳細な説明】
【技術分野】
【０００１】  洗濯時に洗濯物を入れて洗うための洗濯ネットで、洗濯ピンチ付ハンガーをすっぽりと覆うことで、干している洗濯物を他人から見られにくくするための目隠しの機能をもたせた。あわせて花粉やほこり、鳥の糞などの洗濯物への花粉の付着を防ぐ機能ももたせた。この洗濯ネットで干している洗濯物を洗濯ピンチ付ハンガーごと覆うことにより、下着泥棒が下着を容易にとれなくする効果も期待している。
【背景技術】
【０００２】  従来からの洗濯ネットは洗濯時に洗濯物を入れて洗濯することで、洗濯物を絡みにくく、傷みにくくするのが目的であった。下着などの洗濯物を干す時に通常一般的に、洗濯ピンチ付ハンガーが用いられているが、花粉症の人は、洗濯物を屋外に干すと花粉が付着してしまうため、やむを得ず室内に干さざるをえなかった。また多くの女性にとって下着などを屋外に干すとき他人に見られてしまうのが悩みであった。
【考案の開示】
【考案が解決しようとする課題】
【０００３】  従来の洗濯ネットは洗濯物をネットにいれることで、洗濯物を絡みにくく、痛みにくくするために用いられているが、他の機能はなかった。毎日の洗濯時に用いる洗濯ネットを改良し、洗濯物の目隠しに使用できないかと考えた。また昨今多くの人の悩みである花粉の洗濯物への付着を防ぐことができないか考えた。さらに洗濯籠の機能をもたせることができれば、洗濯籠へ洗濯物を移す作業が省ける上、洗濯籠を使わなくてすむ。
【課題を解決するための手段】
【０００４】  洗濯ネットの上を左右に開放、下も開放できるようにすることで、簡単に洗濯ピンチ付ハンガーを覆えるようにすることで、花粉などの付着防ぎ、さらに目隠しとしても使えるようにした。また上口側の両端に物干し竿などに掛けることが可能な長さの平ひもを取り付けることで、洗濯籠の代わりとして使用できるようにした。
【考案の効果】
【０００５】  この考案により、通常の洗濯ネットの洗濯物を入れて洗うことで絡みにくく、傷みにくくする効果のほかに、洗濯物を覆うことで他人から見えにくくする効果、盗難よけの効果ももたせることができた。また花粉やほこり、鳥の糞よけの効果も持つ。花粉などが気にならない場合は、上口側を開放した状態で使用することで太陽光を直接とりこめる。さらに上口部両端にひもを付けたことにより、物干し竿やフックなどに容易に掛けることが可能となり、掛けた状態で下口側を閉じ、上口側を開けることで洗濯物を干したり、取り込んだりするときの洗濯籠代わりの効果ももつ。このネットは洗濯ネットであり、毎回の洗濯時に洗えるためいつも清潔な状態で使用でき、目隠し、花粉よけ、洗濯籠など単独の機能をもつだけの物のように汚れを気にする必要もない。
【考案を実施するための最良の形態】
【０００６】  図１に示す８の各部分にタックまたはギャザーを作り、１と２の間に両開き可能なファスナーを取り付け、３と４の間には片開きのファスナーを取り付ける。５と６のファスナーをすべて閉じると通常の洗濯ネットとして使用できる。１と２のファスナー止まりのすぐ下から下口側にむけ、幅２ｃｍ程度の強度のある平ひもを１０ｃｍ程度取り付ける、平ひもの上端下端をしっかりとネットに縫い付ける。このひもを物干し竿などに掛けた状態で、上口側を開けると洗濯物を干したり取り込んだりするときの、洗濯籠の代わりとして使用できる。次に洗濯物を干し終えて空になったネットを竿などからはずし上下のファスナーを全開して９の洗濯ピンチ付ハンガーにすっぽりとかぶせることで洗濯物の目隠しとなる。８のタックやギャザーにより上口。側を下口側よりも若干狭く作ることで、かぶせやすくなり、またかぶせた状態での安定性もよくなる。上口側１と２のファスナーは両開きになっているため、これを左右から閉めることで上口側を閉じると、花粉、ほこり、鳥の糞よけとなり、大きさの違うハンガーにも対応させることが可能になる。同様に丸型のハンガーでも使用できる。
【図面の簡単な説明】
【０００７】
【図１】本考案の正面図
【図２】花粉よけ目隠しネットの実施例
【図３】花粉よけ目隠しネットの実施例
【図４】花粉よけ目隠しネットの実施例
【符号の説明】
【０００８】      １    上口側ファスナー止まり
２    上口側ファスナー止まり
３    下口側ファスナー開け口
４    下口側ファスナー止まり
５    両開きファスナー
６    片開きファスナー
７    平ひも
８    タック又はギャザー
９    洗濯ピンチ付ハンガー
１０    物干し竿
【図１】
0003134155.tif 000003
【図２】
0003134155.tif 000004
【図３】
0003134155.tif 000005
【図４】
0003134155.tif 000006
【手続補正書】
【提出日】平成19年5月14日(2007.5.14)
【手続補正１】
【補正対象書類名】実用新案登録請求の範囲
【補正対象項目名】全文
【補正方法】変更
【補正の内容】
【実用新案登録請求の範囲】
【請求項１】
（イ）洗濯ネットに上口側と下口側を作り、上下口にはファスナーを取り付け、上下のファスナーを全開にすると筒状になる形状にする。
（ロ）上口側には両開きファスナーを取り付け、中央から左右に開けるようにし、下口側には片開きファスナーを取り付ける。
（ハ）上口側、下口側すべてのファスナーを開け、洗濯ピンチ付ハンガーにかぶせると、洗濯物を人目から見えにくくする。
上記（イ）（ロ）（ハ）の構成からなる洗濯ネット。
【請求項２】
洗濯ネットを洗濯ピンチ付ハンガーにかぶせた後、上口側のファスナーを閉じて使用すると、花粉や埃、鳥の糞よけネットとなることを特徴とする請求項１記載の洗濯ネット。
【請求項３】
洗濯ネットの上口側を下口側よりも若干狭く作ることで、洗濯ピンチ付ハンガーにかぶせたときの安定性をよくしたことを特徴とする請求項１記載の洗濯ネット。
【請求項４】
洗濯ネットの上口側両端のファスナー止め下に、１０ｃｍ程度の強度のある平ひもを上下二箇所でしっかりと取り付けることで、洗濯籠の代わりとしても使える事を特徴とする請求項１記載の洗濯ネット。
【手続補正２】
【補正対象書類名】図面
【補正対象項目名】全図
【補正方法】変更
【補正の内容】
【図１】
0003134155.tif 000007
【図２】
0003134155.tif 000008
【図３】
0003134155.tif 000009
【図４】
0003134155.tif 000010